(57)【要約】【課題】室内の天井面と床面とに跨って、化粧柱を見栄え良く安定して取り付けることができる取付構造を提供する。【解決手段】この取付構造においては、室内の天井面１及び床面２に取り付けた固定部材３に、化粧柱４の上下端部を固定することで、化粧柱４を天井面１と床面２とに跨って取り付けている。化粧柱４の両端部には、その一側面４ｂに開放する開放部分２０ａから固定部材３を取り込んで収容する掘込部２０をそれぞれ形成して、開放部分２０ａから掘込部２０内へ差し入れたビス３０によって、掘込部２０に収容した固定部材３に化粧柱４を止め付けるとともに、開放部分２０ａに蓋材４０を嵌め込んで、固定部材３及びビス３０を覆い隠すようにしている。【選択図】図２
2014101733.tif 000002
【特許請求の範囲】
【請求項１】
室内の対向する被取付面（１）（２）に取り付けた固定部材（３）に、前記室内に露出状態とした木製の造作材（４）の両端部を固定することで、前記造作材（４）を前記被取付面（１）（２）間に跨って取り付けるようにした取付構造であって、前記造作材（４）の両端部に、その一側面（４ｂ）に開放する開放部分（２０ａ）から前記固定部材（３）を取り込んで収容する掘込部（２０）をそれぞれ形成して、前記開放部分（２０ａ）から前記掘込部（２０）内へ差し入れたビス又は釘等の固定具（３０）によって、前記掘込部（２０）に収容した前記固定部材（３）に前記造作材（４）を止め付けるとともに、前記開放部分（２０ａ）に蓋材（４０）を嵌め込んで、前記固定部材（３）及び固定具（３０）を覆い隠すようにしたことを特徴とする木製造作材の取付構造。
【請求項２】
前記固定部材（３）は、前記被取付面（１）（２）に固定した方形状の基板片（１０）と、この基板片（１０）の周端一辺から突出した第１突片（１１）と、この第１突片（１１）に対して直交し、且つ、互いに対向するようにして前記基板片（１０）の周端二辺から突出した一対の第２突片（１２）とを備え、前記造作材（４）の両端部に、前記固定部材（３）の前記基板片（１０）、第１突片（１１）、第２突片（１２）によって囲まれた空間部分に嵌り込む嵌合突起（２１）を形成して、前記開放部分（２０ａ）から前記掘込部（２０）内へ差し入れたビス又は釘等の固定具（３０）によって、前記掘込部（２０）に収容した前記固定部材（３）の第１突片（１１）に前記造作材（４）の嵌合突起（２１）を止め付けるようにした請求項１記載の木製造作材の取付構造。
【請求項３】
前記造作材（４）の一側面（４ｂ）と前記蓋材（４０）の外面（４０ａ）とが面一になるようにした請求項１又は２記載の木製造作材の取付構造。
【請求項４】
前記造作材（４）は、断面方形状の化粧柱又は化粧梁である請求項１乃至３のいずれかに記載の木製造作材の取付構造。
【発明の詳細な説明】
【技術分野】
【０００１】
この発明は、化粧柱や化粧梁等の木製造作材を室内に取り付けるための取付構造に関する。
【背景技術】
【０００２】
従来より、室内のインテリア性を高めるために、構造材ではない化粧柱（あらわし柱）や化粧梁（あらわし梁）を室内に設けることが行われている。
【０００３】
これら非構造の化粧柱や化粧梁の室内への取り付けに際しては、化粧柱の場合には、例えば室内の対向する天井面と床面とに跨って化粧柱を配置して、この化粧柱の上端部を斜め方向からの釘の打ち込みによって天井面に止め付けるとともに、化粧柱の下端部を斜め方向からの釘の打ち込みによって床面に止め付けて、これら釘を覆い隠すようにして化粧柱の上下端部に見切縁を取り付けている（例えば、特許文献１参照）。
【０００４】
また、化粧梁の場合も同様に、例えば室内の対向する壁面間に跨って化粧梁を配置して、この化粧梁の一端部を斜め方向からの釘の打ち込みによって一方の壁面に止め付けるとともに、化粧梁の他端部を斜め方向からの釘の打ち込みによって他方の壁面に止め付けて、これら釘を覆い隠すようにして化粧梁の両端部に見切縁を取り付けている。
【先行技術文献】
【特許文献】
【０００５】
【特許文献１】特開２００２−１７４０４１号公報
【発明の概要】
【発明が解決しようとする課題】
【０００６】
しかしながら、上記のようにして化粧柱や化粧梁を取り付けた場合、化粧柱の上下端部や化粧梁の両端部において、その周方向全周に亘って見切縁が張り出した状態となることから、化粧柱や化粧梁をその全長に亘って張り出し部分のない伸びやかですっきりとした外観とすることができず、今一つ意匠性に欠けるといった不具合があった。
【０００７】
この発明は、上記の不具合を解消して、木製造作材を室内の対向する被取付面に跨って見栄え良く安定して取り付けることができる取付構造の提供を目的とする。
【課題を解決するための手段】
【０００８】
上記課題を解決するため、この発明の木製造作材の取付構造は、室内の対向する被取付面１、２に取り付けた固定部材３に、前記室内に露出状態とした木製の造作材４の両端部を固定することで、前記造作材４を前記被取付面１、２間に跨って取り付けるようにしており、前記造作材４の両端部に、その一側面４ｂに開放する開放部分２０ａから前記固定部材３を取り込んで収容する掘込部２０をそれぞれ形成して、前記開放部分２０ａから前記掘込部２０内へ差し入れたビス又は釘等の固定具３０によって、前記掘込部２０に収容した前記固定部材３に前記造作材４を止め付けるとともに、前記開放部分２０ａに蓋材４０を嵌め込んで、前記固定部材３及び固定具３０を覆い隠すようにしたことを特徴とする。
【０００９】
具体的に、前記固定部材３は、前記被取付面１、２に固定した方形状の基板片１０と、この基板片１０の周端一辺から突出した第１突片１１と、この第１突片１１に対して直交し、且つ、互いに対向するようにして前記基板片１０の周端二辺から突出した一対の第２突片１２とを備え、前記造作材４の両端部に、前記固定部材３の前記基板片１０、第１突片１１、第２突片１２によって囲まれた空間部分に嵌り込む嵌合突起２１を形成して、前記開放部分２０ａから前記掘込部２０内へ差し入れたビス又は釘等の固定具３０によって、前記掘込部２０に収容した前記固定部材３の第１突片１１に前記造作材４の嵌合突起２１を止め付けるようにしている。
【００１０】
また、前記造作材４の一側面４ｂと前記蓋材４０の外面４０ａとが面一になるようにしている。さらに、前記造作材４は、断面方形状の化粧柱又は化粧梁である。
【発明の効果】
【００１１】
この発明の取付構造によれば、室内の対向する被取付面に取り付けた固定部材に、例えば断面方形状の化粧柱や化粧梁等のような造作材の両端部を固定するにあたって、造作材の両端部の開放部分を利用して、掘込部への固定部材の収容、固定具による固定部材への造作材の止め付けを行った後、開放部分に蓋材を嵌め込んで、固定部材及び固定具を覆い隠していることから、造作材をその全長に亘って張り出し部分のない伸びやかですっきりとした外観とすることができる。しかも、造作材の一側面にのみ開放部分を形成しているので、造作材の外表面すなわち化粧面の切り欠きを極力抑えることができる。これらにより、造作材の見栄えを良好にして、室内のインテリア性を十分に高めることができる。
【００１２】
また、造作材の掘込部に収容した固定部材の基板片、第１突片、第２突片によって囲まれた空間部分に、造作材の嵌合突起を嵌め込むようにして、この嵌合突起を第１突片に止め付けているので、造作材に対して水平方向に作用する外力に効果的に抵抗することができ、造作材をしっかりと安定して取り付けることができる。
【００１３】
さらに、造作材の一側面と蓋材の外面とを面一に揃えることで、造作材の見栄えをより一層良好にすることができる。
【図面の簡単な説明】
【００１４】
【図１】この発明の一実施形態に係る化粧柱の取付構造を示す斜視図である。
【図２】同じくその分解斜視図である。
【図３】固定部材の斜視図である。
【図４】化粧柱の上端部及び下端部の斜視図である。
【図５】化粧柱の上端部の取り付け手順を示す斜視図である。
【図６】化粧柱の下端部の取り付け手順を示す斜視図である。
【図７】固定部材に固定した化粧柱の上端部及び下端部の横断面図である。
【発明を実施するための形態】
【００１５】
以下、この発明の実施形態を図面に基づいて詳細に説明する。この発明の一実施形態に係る木製造作材の取付構造においては、図１及び図２に示すように、室内の対向する被取付面すなわち天井面１と床面２に取り付けた固定部材３に、室内に露出状態とした木製造作材である非構造の化粧柱（あらわし柱）４の上下端部を固定することで、天井面１と床面２とに跨って化粧柱４を取り付けている。
【００１６】
天井面１側の固定部材３は、図３（ａ）に示すように、金属板を折曲してなり、天井面１に固定する長方形状の基板片１０と、この基板片１０の周端一辺から突出した（垂下した）第１突片１１と、この第１突片１１に対して直交し、且つ、互いに対向するようにして基板片１０の周端二辺から突出した（垂下した）一対の第２突片１２とを備えている。すなわち、基板片１０の周端四辺のうち一辺側は突片が存在せずに、開放した状態となっている。そして、基板片１０及び第１突片１１には、複数のビス挿入孔１３、１４が形成されている。この固定部材３は、その基板片１０を天井面１に当接させた状態で、その基板片１０のビス挿入孔１３から挿入したビス１５を天井面１へねじ込むことで、第１突片１１及び第２突片１２が下向きとなった状態で、天井面１に取り付けられている（図５（ａ）参照）。なお、ビス１５をねじ込む代わりに、釘を打ち込むようにしても良い。
【００１７】
床面２側の固定部材３は、図３（ｂ）に示すように、天井面１側の固定部材３を上下逆向きにした構造となっている。すなわち、床面２側の固定部材３は、金属板を折曲してなり、床面２に固定する長方形状の基板片１０と、この基板片１０の周端一辺から突出した（立ち上がった）第１突片１１と、この第１突片１１に対して直交し、且つ、互いに対向するようにして基板片１０の周端二辺から突出した（立ち上がった）一対の第２突片１２とを備えている。すなわち、基板片１０の周端四辺のうち一辺側は突片が存在せずに、開放した状態となっている。そして、基板片１０及び第１突片１１には、複数のビス挿入孔１３、１４が形成されている。この固定部材３は、その基板片１０を床面２に当接させた状態で、その基板片１０のビス挿入孔１３から挿入したビス１５を床面２へねじ込むことで、第１突片１１及び第２突片１２が上向きとなった状態で、床面２に取り付けられている（図６（ａ）参照）。なお、ビス１５をねじ込む代わりに、釘を打ち込むようにしても良い。
【００１８】
化粧柱４は、例えば角柱状の芯材の周囲に突板を張り付けた構造となっていて、断面が略正方形状とされている。なお、化粧柱４としては、このような構造のものに限定されず、例えば角柱状の無垢材を使用しても良い。
【００１９】
この化粧柱４の上端部には、図４（ａ）に示すように、その上端面４ａ及び上端面４ａに対して直交する一側面４ｂに開放する溝状の掘込部２０と、この掘込部２０に突出する直方体状の嵌合突起２１とが形成されている。なお、掘込部２０は、その一側面４ｂ側の開放部分２０ａが他の部分と比べて幅広に形成されている。
【００２０】
また、化粧柱４の下端部は、図４（ｂ）に示すように、化粧柱４の上端部を上下逆向きにした構造となっている。すなわち、この化粧柱４の下端部には、その下端面４ｃ及び下端面４ｃに対して直交する一側面４ｂに開放する溝状の掘込部２０と、この掘込部２０に突出する直方体状の嵌合突起２１とが形成されている。なお、掘込部２０は、その一側面４ｂ側の開放部分２０ａが他の部分と比べて幅広に形成されている。
【００２１】
上記の化粧柱４の室内への取り付けに際しては、図５及び図６に示すように、まず天井面１及び床面２に固定部材３をそれぞれ取り付けている。そして、化粧柱４の上端面４ａを天井面１に、化粧柱４の下端面４ｃを床面２にそれぞれ当接させた状態、すなわち、化粧柱４を天井面１と床面２とに跨って配置した状態で、化粧柱４を横方向にスライドさせることで、化粧柱４の上端部に形成した掘込部２０に、その一側面４ｂ側の開放部分２０ａから天井面１側の固定部材３を取り込んで収容するとともに、化粧柱４の下端部に形成した掘込部２０に、その一側面４ｂ側の開放部分２０ａから床面２側の固定部材３を取り込んで収容する。この収容状態において、天井面１側の固定部材３の基板片１０、第１突片１１、第２突片１２によって囲まれた空間部分には、化粧柱４の上端部に形成した嵌合突起２１が嵌り込み、床面２側の固定部材３の基板片１０、第１突片１１、第２突片１２によって囲まれた空間部分には、化粧柱４の下端部に形成した嵌合突起２１が嵌り込んだ状態となっている（図７参照）。
【００２２】
続いて、化粧柱４の上端部において、一側面４ｂ側の開放部分２０ａから掘込部２０内へ差し入れたビス３０によって、掘込部２０に収容した天井面１側の固定部材３に化粧柱４の上端部を止め付ける。具体的には、天井面１側の固定部材３の第１突片１１が開放部分２０ａに面した状態となっていて、この第１突片１１のビス挿入孔１４に挿入したビス３０を、化粧柱４の嵌合突起２１にねじ込むことで、第１突片１１に嵌合突起２１を止め付けている（図７参照）。なお、ビス３０をねじ込む代わりに、釘を打ち込むようにしても良く、また接着剤を併用しても良い。
【００２３】
また、化粧柱４の下端部においても同様に、一側面４ｂ側の開放部分２０ａから掘込部２０内へ差し入れたビス３０によって、掘込部２０に収容した床面２側の固定部材３に化粧柱４の下端部を止め付ける。具体的には、床面２側の固定部材３の第１突片１１が開放部分２０ａに面した状態となっていて、この第１突片１１のビス挿入孔１４に挿入したビス３０を、化粧柱４の嵌合突起２１にねじ込むことで、第１突片１１に嵌合突起２１を止め付けている（図７参照）。なお、ビス３０をねじ込む代わりに、釘を打ち込むようにしても良く、また接着剤を併用しても良い。
【００２４】
そして、化粧柱４の上端部及び下端部において、一側面４ｂ側の開放部分２０ａに厚板状の蓋材４０をそれぞれ嵌め込んで、掘込部２０に収容した固定部材３及びビス３０を覆い隠すようにしている。この嵌め込み状態において、化粧柱４の一側面４ｂと蓋材４０の外面４０ａとが面一になっている。しかも、蓋材４０の外面４０ａは、化粧柱４の一側面４ｂと同様の風合い（同様の色合い及び同様の木目）となっている。このため、一側面４ｂ側の開放部分２０ａに嵌め込んだ蓋材４０が目立たないようになっている。
【００２５】
上記のようにして化粧柱４を室内に取り付けることで、化粧柱４を天井面１から床面２にかけて張り出し部分のない伸びやかですっきりとした外観とすることができる。しかも、化粧柱４の４方向の側面のうち一側面４ｂにのみ開放部分２０ａを形成しているので、残り３方向の側面は無傷の化粧面となり、一側面４ｂ側の開放部分２０ａには蓋材４０が目立たないように嵌め込まれていることから、一側面４ｂについても無傷の化粧面と比べてあまり遜色のない化粧面とすることができる。これらにより、化粧柱４の見栄えを良好にして、室内のインテリア性を十分に高めることができる。
【００２６】
また、化粧柱４の掘込部２０に収容した固定部材３の基板片１０、第１突片１１、第２突片１２によって囲まれた空間部分には、化粧柱４の嵌合突起２１が嵌め込まれた状態となっていて、この嵌合突起２１が第１突片１１に止め付けられているので、化粧柱４に対して図７に示すような水平方向の外力Ａ〜Ｄが作用したとしても、外力Ａに対してはビス３０の引き抜き力によって抵抗し、外力Ｂに対しては第１突片１１によって抵抗し、外力Ｃ、Ｄに対しては一対の第２突片１２によって抵抗することができ、化粧柱４をしっかりと安定して取り付けることができる。
【００２７】
さらに、天井面１及び床面２の仕上げを行った後からでも、それら天井面１及び床面２に固定部材３を取り付けて、化粧柱４を施工することができるので、施工性に優れるとともに、室内のリフォーム提案にも柔軟に対応することができる。
【００２８】
以上に、この発明の実施形態について説明したが、この発明は、上記実施形態に限定されるものではなく、この発明の範囲内で種々変更して実施することが可能である。
【００２９】
例えば、上記実施形態においては、木製造作材として化粧柱を例に挙げて説明したが、木製造作材としては、化粧柱に限らず、例えば化粧梁（あらわし梁）であっても良く、またパーティションの柱材、手摺材等であっても良い。なお、化粧梁（あらわし梁）の場合には、その両端部を室内の対向する壁面に取り付けた固定部材に固定することで、壁面間に跨って取り付けられることになる。
【符号の説明】
【００３０】
１・・天井面（被取付面）、２・・床面（被取付面）、３・・固定部材、４・・化粧柱（造作材）、４ｂ・・化粧柱の一側面、１０・・基板片、１１・・第１突片、１２・・第２突片、２０・・掘込部、２０ａ・・開放部分、２１・・嵌合突起、３０・・ビス（固定具）、４０・・蓋材、４０ａ・・蓋材の外面
【図１】
2014101733.tif 000003
【図２】
2014101733.tif 000004
【図３】
2014101733.tif 000005
【図４】
2014101733.tif 000006
【図５】
2014101733.tif 000007
【図６】
2014101733.tif 000008
【図７】
2014101733.tif 000009